(57)【要約】      （修正有）【課題】伐採された大径の樹木を利用して、これを平板状に加工し、その平板状の木材の平坦面に文字を筆墨で描写した木製の碑となる表示装置を提供する。【解決手段】表示装置２０は、正面部、底面部、頂面部、両側面部及び背面部よりなる立体形状をなし、その正面部が平坦面２１ａを有する木材２１において、その平坦面２１ａに和歌などの文字を筆墨により描写してなるものである。【選択図】図２
0003184648.tif 000002
【実用新案登録請求の範囲】
【請求項１】
平坦面を有する木材において、その平坦面に毛筆書体により少なくとも文字を描写してなることを特徴とする表示装置。
【請求項２】
前記文字が和歌、俳句、歌、処世訓又は教訓等の文章であることを特徴とする請求項１に記載の表示装置。
【請求項３】
前記平坦面に絵画が描写されていることを特徴とする請求項１又は２に記載の表示装置。
【請求項４】
描写後の前記平坦面に耐候性塗料を塗布してなることを特徴とする請求項１〜３のいずれか１項に記載の表示装置。
【請求項５】
少なくとも描写した文字に、蓄光塗料が配されていることを特徴とする請求項１〜４のいずれか１項に記載の表示装置。
【請求項６】
前記木材が表裏の面を有する平板状に構成され、その一方の面を前記平坦面としたことを特徴とする請求項１〜５のいずれか１項に記載の表示装置。
【請求項７】
前記木材における他方の面に木材チップを積層してなることを特徴とする請求項６に記載の表示装置。
【請求項８】
前記木材に起立手段を設けたことを特徴とする請求項１〜７のいずれか１項に記載の表示装置。
【請求項９】
前記木材に地中埋設部を設けたことを特徴とする請求項１〜７のいずれか１項に記載の表示装置。
【請求項１０】
前記木材に、説明文を表示した案内板を付設したことを特徴とする請求項１〜９のいずれか１項に記載の表示装置。
【考案の詳細な説明】
【技術分野】
【０００１】
本考案は、毛筆書体により文字を描いた表示装置に関し、特に有名な和歌等の文字を描いた表示装置に関する。
【背景技術】
【０００２】
和歌、俳句、歌、処世訓又は教訓等の文章は、これらを後世に伝えるために、石板や金属板に文字を刻んで製作した石碑や金属碑が名所や旧跡等の関連場所に建てられている。
【０００３】
一方、古木等の大径の樹木が、邪魔になったり、危険である等の理由により伐採され、その伐採された樹木は、一部の利用を除き、廃材として処分されている現状がある。また、間伐材等の雑木については、その有効な利用方法が種々検討されているが、多くの間伐材は有効利用されていないのが現状である。さらに、木材は、その加工の際に木片や木屑等の木材チップが生じ、その木材チップは、一部の利用を除き、廃棄物として処分されているのが現状である。
【考案の概要】
【考案が解決しようとする課題】
【０００４】
ところで上記のような石碑や金属碑を建てるには、製造コストが高く、かつ、重量物となるため設置するコストが高いので、簡単に建てることができない。また、建てられた石碑や金属碑は、その製造及び設置のコストが高いために美麗な状態で長く維持する必要があり、その維持のための経費が長期にわたって何年も継続するのが実情である。
【０００５】
その一方で、上記のような石碑や金属碑を屋内や屋外の装置品として安価に建てたいとの要望がある。
【０００６】
そこで、本考案者は、鋭意研究をした結果、伐採された大径の樹木を利用して、これを平板状に加工し、その平板状の木材の平坦面に文字を毛筆書体で描写した木製の碑となる表示装置を開発した。
【課題を解決するための手段】
【０００７】
本考案に係る表示装置は、平坦面を有する木材において、その平坦面に毛筆書体により少なくとも文字を描写してなることを特徴とするものである。描写される文字は、文字部分が窪むように彫刻して筆書きで書いたような形状の凹部を形成し、該凹部に膠入りの墨汁を塗布することにより描写してもよく、また、文字部分が浮き上がるように浮き彫りにして筆書きで書いたような形状の凸部を形成し、該凸部に膠入りの墨汁を塗布することにより文字を描写してもよい。
【０００８】
前記の文字としては、一文字でもよいが、和歌、俳句、歌、処世訓又は教訓等の文章を採用してもよい。
【０００９】
また、平坦面に描写するのは文字だけでなく、絵画を共に描写してもよい。
【００１０】
さらに、文字や絵画を描写した後に、前記平坦面に耐候性塗料をコーティングして耐候性を有するようにしてもよい。
【００１１】
さらにまた、描写した文字に蓄光塗料を配し、暗闇でも少なくとも文字が発光するようにしてもよい。
【００１２】
また、前記木材が表裏の面を有する平板状に構成され、その一方の面を前記平坦面として文字や絵画を描写してもよい。
【００１３】
さらに、前記木材における他方の面に木材チップを積層し、平板状の木材の強度を向上させてもよい。
【００１４】
さらにまた、前記木材に起立手段を設け、当該起立手段により自立できる構成としてもよい。
【００１５】
また、前記木材に地中埋設部を設け、当該地中埋設部を地中に埋設することにより容易に移動できない構成としてもよい。
【００１６】
さらに、前記木材に案内板を付設し、当該案内板に木材に描写された文字が理解されやすいように楷書体等の文字で表示したり、該文字の出典や由来等の説明文を表示するようにしてもよい。
【考案の効果】
【００１７】
本考案の表示装置は、上記のように構成したので、木製の碑であるために安価に製造することが可能であり、軽量であるために設置コストも安価である。しかも、廃材を利用すれば材料費も少なくて済み、また、廃棄処理に要する費用が削減できる利点がある。さらに、本考案の表示装置は、木材より形成されてなるので、耐久性に乏しいために経時変化により劣化しても、コストが安価であるために、メンテナンスに費用をかけることなく新たに作り直して建て直すことができる。しかも作り直すことにより、例えば神社仏閣等の古い建造部を修復や再建するのと同様に、文化遺産に対する思いや記憶をあらたかにすると共に教育的効果がある。
【図面の簡単な説明】
【００１８】
【図１】本考案の実施例１に係る表示装置を示す斜視図である。
【図２】本考案の実施例２に係る表示装置を示す斜視図である。
【図３】本考案の実施例３に係る表示装置を示す斜視図である。
【図４】図３のＡ−Ａ線概略断面図である。
【図５】本考案の実施例４に係る表示装置を示す斜視図である。
【図６】図５のＢ−Ｂ線概略断面図である。
【図７】本考案の実施例５に係る表示装置を表側から見た斜視図である。
【図８】本考案の実施例５に係る表示装置を地中に埋設して立設した状態を裏側から見た斜視図である。
【考案を実施するための形態】
【００１９】
以下、本考案に係る表示装置の実施例について、添付の図面に基づき詳細に説明する。
【実施例１】
【００２０】
図１に示す１０は、本実施例の表示装置である。該表示装置１０は、木材１１とその平坦面１１ａに描写した文字１２とから構成される。
【００２１】
木材１１は、直径が５０ｃｍ〜１５０ｃｍの樹木を、高さ約１００ｃｍ〜２００ｃｍ分だけ切り出して丸太材を製作し、その丸太材を長さ方向に平坦面１１ａが形成されるように中央縦方向に切断して製材したものである。なお、安定よく立設するために木材１１の半円状の底面１１ｂも平坦に切断しておく。前記の木材１１は、もちろん材木用に植林されている樹木を利用して製材してもよい。また、自然に倒れた樹木あるいは邪魔になって伐採された樹木や危険防止のために伐採された樹木等の廃材を利用して製作するのが経済的であり、その場合には、天然資源が有効活用に供されるので、天然資源がそのまま放置され腐敗することが減少し、また除去及び廃棄処分する手間が減少する。
【００２２】
平坦面１１ａに描写される文字１２は、本実施例においては夫木和歌抄に収録されている中から奈良の山の辺の道等に因んだ和歌を、墨汁を使用して毛筆により書したものである。このような和歌には、一般に特定の山や池等の景色が綴られていることが多いため、そのような山や池等の景色が眺められる場所に本実施例における表示装置を設置すると、その場所を往来する人が景色を眺めながら、その和歌を詠んだ古人の思いに共感を寄せるという情緒豊かな感慨に耽ることができるので、観光客等の旅行者には十分な満足感を与えることができる。また、文字を墨筆で書しているため、荘厳さと古風さとが備わるので、歴史を感じさせる効果がある。なお、前記の文字１２は、本実施例のものに限られるものではなく、一文字であってもよく、あるいは和歌、俳句、歌、処世訓又は教訓等の文章であってもよい。また、描写された文字１２に因んだ絵画を平坦面１１ａに併せて描写してもよく、その場合には描写された文字１２が絵画と相俟ってより一層味わい深いものとなる。
【００２３】
また、本実施例における表示装置１０は、墨筆で書された文字１２上に、蓄光塗料が塗布されている。したがって、屋外に設置している場合には、日中の間に蓄光塗料が光エネルギーを吸収蓄積し、暗くなると文字の部分が発光するので、照明がない暗い場所でも文字を視認することができて夜間でも楽しむことができる。また、電力などの特別なエネルギーを要せずして発光するので経済的であり、特別な発光装置を備える必要なく発光するので故障しない利点がある。なお、墨汁に蓄光塗料を混ぜて文字を書すようにしてもよく、その場合には、蓄光塗料を別途に塗布する手間が省ける。蓄光塗料としては、ストロンチウムアルミネートやカルシウムアルミネートを母体結晶とし、不純物として数種類の希土類元素を含むものであれば、残光輝度が高く、残光時間が長いので望ましく、さらに蓄光塗料の上にトップコートクリヤーを塗布すると蓄光塗料に耐水性をもたせる意味で好ましい。
【００２４】
また、本実施例における表示装置１０は、文字１２を書した平坦面１１ａの全面に耐候性塗料が塗布されており、屋外に設置しても風雨にさらされたり紫外線が照射されても劣化しないようになっている。耐候性塗料としては、設置する場所の環境等に応じて、主要樹脂成分がフッ素樹脂、シリコーン樹脂又はポリウレタン樹脂のいずれかの塗料を採用すればよい。
【００２５】
さらに、本実施例における表示装置１０は、その底面１１ｂが半円状の平坦な面であるから、特に起立させる構成を備えておかずとも自立する利点がある。
【実施例２】
【００２６】
図２に示す２０は、本実施例の表示装置である。該表示装置２０は、木材の表裏の面を平坦に切断した平板状の木材２１により構成されたものであり、その一方の面を平坦面２１ａとし、当該平坦面２１ａに文字２２を描写したものである。なお、安定よく立設するために木材２１の底面２１ｂも平坦に切断しておく。その他の平坦面２１ａ及び文字２２の構成は、実施例１の平坦面１１ａ及び文字１２の構成と同様とする。
【００２７】
このように構成すると本実施例の表示装置２０は、極めて軽量であり、かつ、簡単に移動できるので、どこにでも立てかけて設置できる利点がある。
【実施例３】
【００２８】
図３及び図４に示す３０は、本実施例の表示装置である。該表示装置３０は、木材の表裏の面を平坦に切断した平板状の木材３１により構成されたものであり、その一方の面を平坦面３１ａとして、当該平坦面３１ａに文字３２を描写し、他方の面に木材チップよりなるボード３３を積層したものである。なお、安定よく立設するために木材３１及びボード３３の各底面３１ｂ、３３ｂも平坦に切断しておく。その他の平坦面３１ａ及び文字３２の構成は、実施例１の平坦面１１ａ及び文字１２の構成と同様とする。
【００２９】
このように構成すると表示装置３０の軽量化が図れると共に設置状態が安定する利点がある。
【実施例４】
【００３０】
図５及び図６に示す４０は、本実施例の表示装置である。該表示装置４０は、木材の表裏の面を平坦に切断した平板状の木材４１により構成されたものであり、その一方の面を平坦面４１ａとして、当該平坦面４１ａに文字４２を描写したものである。なお、下記する起立手段４４を確実に嵌合するために木材４１の底面４１ｂも平坦に切断しておく。
【００３１】
そして、本実施例の表示装置４０は、一対の起立手段４４を備えるものである。当該起立手段４４は、左右対称の台形状の平板を、その短辺側である上端部中央に木材４１の厚みとほぼ同一幅の嵌合凹部４４ａを形成し、長辺側である下端部４４ｂを設置面とするものである。そして、図６に示すように、木材４１の底面４１ｂを前記嵌合凹部４４ａに挿入して、木材４１の下部が起立手段４４に挟持されるように組み立てて、図５に示すように立設する。このように構成したことにより、本実施例に係る表示装置４０は、軽量であり、かつ、容易に倒れることなく自立する利点がある。なお、起立手段４４は、上記の構成のものに限られるものではなく、木材４１が容易に倒れることなく自立するものであればよい。
【００３２】
さらに、本実施例においては、図５及び図６に示すように、主として室内掲示用の場合として、起立手段４４を台板４５上に固定し、木材４１の文字を描写してない裏面側に支え棒４６を配したものである。起立手段４４の台板４５に対する固定手段は特に限定されず、接着剤を使用して固定してもよく、ネジや釘などにより固定してもよい。また、支え棒４６は、その下端側は台板４５に対して回動可能となる固定手段４６ａにより軸止されており、その上端は木材４１に対して回動可能でかつストッパー付きのスライド可能な固定手段４６ｂにより軸止されている。しかも、台板４５の裏面には、ストッパー付きキャスター４７を配設したものである。  このように構成したことにより、本実施例に係る表示装置４０は、より一層倒れるおそれがなくなり、かつ、容易に移動できる利点がある。
【００３３】
その他の平坦面４１ａ及び文字４２の構成は、実施例１の平坦面１１ａ及び文字１２の構成と同様とする。
【実施例５】
【００３４】
図７及び図８に示す５０は、本実施例の表示装置である。該表示装置５０は、木材の表裏の面を平坦に切断した平板状の木材５１により構成されたものであり、その一方の面を平坦面５１ａとして、当該平坦面５１ａに文字５２を描写したものである。
【００３５】
また、本実施例における表示装置５０には、図７に示すように、案内板５３が付設されている。すなわち、当該案内板５３は、図８に示すように、前記木材５１に隣接されるように横棒５４を木材５１と案内板５３とを架け渡して固定されている。当該案内板５３には、木材５１に描写された文字５２が理解されやすいように楷書体に書き直した文字５３ａが表示されると共に、該文字５２の出典や由来等の説明文５３ｂが表示されている。
【００３６】
さらに、本実施例の表示装置５０は、その下端に地中埋設部５５を備えるものである。当該地中埋設部５５は、図７及び図８に示すように、木材５１の裏面に固定された支柱５５ａの下端部５５ａ’及び案内板５３の裏面に固定された支柱５５ｂの下端部５５ｂ’とから構成される。これら支柱５５ａ、５５ｂは前記の横棒５４にそれぞれ連結固定されている。なお、これら横棒５４及び支柱５５ａ、５５ｂの材料に間伐材を使用すれば、コストの低減が図れると共に、天然資源の活用となる。
【００３７】
そして、支柱５５ａ、５５ｂの下端部５５ａ’、５５ｂ’を地中に埋設する。例えば、設置する地面に適宜の深さの穴を形成し、支柱５５ａ、５５ｂの下端部５５ａ’、５５ｂ’を差し込んで前記の穴に土を押し込んで固めることにより、支柱５５ａ、５５ｂの下端部５５ａ’、５５ｂ’が埋設され、本実施例の表示装置５０が立設される。本実施例においては、設置する地面に適宜の深さの穴を形成し、支柱５５ａ、５５ｂの下端部５５ａ’、５５ｂ’を差し込んで前記の穴に、図８に示すようにセメント５６を押し込んで固めたものである。
【００３８】
このように構成すると、本実施例に係る表示装置５０は、その地中埋設部５０が中に埋設されるため、容易に倒れることがないものとなり、また、容易に移動できないため盗難防止の利点がある。しかも、セメント５６で地中埋設部５０が固められているため、その重心が下部に移動して安定性が向上し、かつ、重量が増大するのでより一層移動できない利点がある。
【００３９】
なお、地中埋設部５５は、上記の構成に限られるものではなく、表示装置５０が容易に抜き出すことができない構成のものであればものであればよい。
【００４０】
その他の平坦面５１ａ及び文字５２の構成は、実施例１の平坦面１１ａ及び文字１２の構成と同様とする。
【００４１】
本考案のいくつかの実施例を説明したが、これら実施例は、例として提示したものであり、考案の範囲を限定することは意図していない。これら実施例は、その他の様々な形態で実施されることが可能であり、考案の要旨を逸脱しない範囲で、種々の省略、置き換え、変更を行うことができる。これら実施例やその変形は、考案の範囲や要旨に含まれると同様に、実用新案登録請求の範囲に記載された考案とその均等の範囲に含まれるものである。
【符号の説明】
【００４２】
１０………表示装置                  １１………木材
１１ａ……木材の平坦面              １１ｂ……木材の底面
１１ｂ……木材の底面                １２………平坦面に描写された文字
２０………表示装置                  ２１………木材
２１ａ……木材の平坦面              ２１ｂ……木材の底面
２２………平坦面に描写された文字
３０………表示装置                  ３１………木材
３１ａ……木材の平坦面              ３１ｂ……木材の底面
３２………平坦面に描写された文字    ３３………ボード
３３ｂ……ボードの底面
４０………表示装置                  ４１………木材
４１ａ……木材の平坦面              ４１ｂ……木材の底面
４２………平坦面に描写された文字    ４４………起立手段
４４ａ……起立手段の嵌合凹部        ４４ｂ……起立手段の設置面
４５………台板                      ４６………支え棒
４６ａ……固定手段                  ４６ｂ……固定手段
４７………キャスター
５０………表示装置                  ５１………木材
５１ａ……木材の平坦面              ５２………平坦面に描写された文字
５３………案内板                    ５３ａ……楷書体で表した文字
５３ｂ……説明文                    ５４………横棒
５５………地中埋設部                ５５ａ……支柱
５５ａ’…支柱の下端部              ５５ｂ……支柱
５５ｂ’…支柱の下端部              ５６………セメント
【図１】
0003184648.tif 000003
【図２】
0003184648.tif 000004
【図３】
0003184648.tif 000005
【図４】
0003184648.tif 000006
【図５】
0003184648.tif 000007
【図６】
0003184648.tif 000008
【図７】
0003184648.tif 000009
【図８】
0003184648.tif 000010
【手続補正書】
【提出日】平成25年4月30日(2013.4.30)
【手続補正１】
【補正対象書類名】実用新案登録請求の範囲
【補正対象項目名】請求項１
【補正方法】変更
【補正の内容】
【請求項１】
正面部、底面部、頂面部、両側面部及び背面部よりなる立体形状をなし、その正面部が平坦面を有する木材において、その平坦面に毛筆書体により少なくとも文字を描写した構造からなることを特徴とする表示装置。
【手続補正２】
【補正対象書類名】実用新案登録請求の範囲
【補正対象項目名】請求項９
【補正方法】変更
【補正の内容】
【請求項９】
前記木材の底面部下方に該木材に連設した杭状の地中埋設部を設けたことを特徴とする請求項１〜７のいずれか１項に記載の表示装置。
【手続補正３】
【補正対象書類名】明細書
【補正対象項目名】０００７
【補正方法】変更
【補正の内容】
【０００７】  本考案に係る表示装置は、正面部、底面部、頂面部、両側面部及び背面部よりなる立体形状をなし、その正面部が平坦面を有する木材において、その平坦面に毛筆書体により少なくとも文字を描写した構造からなることを特徴とするものである。描写される文字は、文字部分が窪むように彫刻して筆書きで書いたような形状の凹部を形成し、該凹部に膠入りの墨汁を塗布することにより描写してもよく、また、文字部分が浮き上がるように浮き彫りにして筆書きで書いたような形状の凸部を形成し、該凸部に膠入りの墨汁を塗布することにより文字を描写してもよい。
【手続補正４】
【補正対象書類名】明細書
【補正対象項目名】００１５
【補正方法】変更
【補正の内容】
【００１５】  また、前記木材の底面部下方に該木材に連設した杭状の地中埋設部を設け、当該地中埋設部を地中に埋設することにより容易に移動できない構成としてもよい。